(57)【要約】  本発明は弾薬トラップ及び射撃場の鉛及び他の重金属を修復するための方法を提供する。１つまたは複数の修復剤は弾薬トラップまたは射撃場に加えられる。修復剤は重金属と反応し、重金属を「固定」（または、不活性化）し、それらを実質的に非浸出性にする。本発明また、改善した弾薬トラップを提供する。
2007519888.tif 000002
【特許請求の範囲】
【請求項１】
弾薬トラップの重金属を修復するための方法であって：前記トラップに少なくとも１つの重金属修復剤を加えることを含む方法。
【請求項２】
前記少なくとも１つの修復剤が硫化カルシウム、燐酸カルシウム、水酸化カルシウム、酸化カルシウム、炭酸カルシウム、硫化マグネシウム、燐酸マグネシウム、水酸化マグネシウム、酸化マグネシウム、炭酸マグネシウム、燐灰石、燐酸水素二カルシウム、燐酸二水素カルシウム、重過燐酸石灰、苦灰石、燐酸、これらの化合物の混合カルシウム付加生成物、燐酸及びそれらの塩、アルカリ土類珪酸塩、珪酸、アルミナ水和物、金属吸収性粘土、及びこれらの混合物から成る群から選択される、請求項１に記載の方法。
【請求項３】
前記少なくとも１つの修復剤が硫化カルシウム、炭酸カルシウム、及び燐酸カルシウムまたは重過燐酸石灰の混合物を含む、請求項１に記載の方法。
【請求項４】
前記少なくとも１つの修復剤が３：２：１（ｗｔ／ｗｔ）の比率の炭酸カルシウム、硫化カルシウム、及び重過燐酸石灰の混合物を含む、請求項１に記載の方法。
【請求項５】
前記少なくとも１つの修復剤がブロックまたはペレット、破片、流動性粉末、または、スラリーとして前記トラップに加えられる、請求項１に記載の方法。
【請求項６】
弾薬トラップの重金属を修復するための方法であって：前記トラップにバインダー内に分散された少なくとも１つの修復剤を含むブロックを加えることを含む方法。
【請求項７】
前記少なくとも１つの修復剤が硫化カルシウム、燐酸カルシウム、水酸化カルシウム、酸化カルシウム、炭酸カルシウム、硫化マグネシウム、燐酸マグネシウム、水酸化マグネシウム、酸化マグネシウム、炭酸マグネシウム、燐灰石、燐酸水素二カルシウム、燐酸二水素カルシウム、重過燐酸石灰、苦灰石、燐酸、これらの化合物の混合カルシウム付加生成物、燐酸及びそれらの塩、アルカリ土類珪酸塩、珪酸、アルミナ水和物、金属吸収性粘土、及びこれらの混合物から成る群から選択される、請求項６に記載の方法。
【請求項８】
前記少なくとも１つの修復剤が硫化カルシウム、炭酸カルシウム、及び燐酸カルシウムまたは重過燐酸石灰の混合物を含む、請求項６に記載の方法。
【請求項９】
前記バインダーが水溶性及び／または水分解性のワックスを含む、請求項６に記載の方法。
【請求項１０】
前記水溶性及び／または水分解性ワックスが水和化可能及び／または分解可能なポリエチレングリコール、エチレングリコールの共重合体、及びそれらの混合物から成る群から選択される、請求項９に記載の方法。
【請求項１１】
前記バインダーがポリアクリラート水和化可能なセルロース化合物、水和化可能なセルロース化合物のメチル、エチル、プロピル、及び／またはブチルエーテル、及びそれらの混合物から成る群から選択される、請求項６に記載の方法。
【請求項１２】
前記ブロックがさらに、１つまたは複数の表面活性剤、分散補助剤、及び／または凝集剤を含む、請求項６に記載の方法。
【請求項１３】
前記ブロックが脂肪酸のポリエトキシエチレンエーテル、脂肪酸のポリエトキシエチレンエステル、及びアルコールのポリエトキシエーテル（例えば、化学式ＣＨ3（ＣＨ2）x-Ｏ-（ＣＨ2ＣＨ2）y-ＯＨ（ここで、ｘ＞＝５かつｙ＞１）のポリエーテルアルコール）から成る群から選択される、請求項１２に記載の方法。
【請求項１４】
ブロックまたはペレット内に分散された少なくとも１つの重金属修復剤を含む重金属修復剤ブロックまたはペレットの製造方法であって：
少なくとも１つの修復剤と水溶性または水分解性バインダーの混合物を形成すること；
融解物を形成するために前記混合物を加熱すること；及び、
前記融解物をペレットまたはブロックに鋳造することを含む製造方法。
【請求項１５】
前記混合物がさらに、１つまたは複数の表面活性剤、分散補助剤、及び／または凝集剤を含む、請求項１４に記載の製造方法。
【請求項１６】
水溶性または水分解性バインダー内に分散された少なくとも１つの重金属修復剤、並びに１つまたは複数の表面活性剤、分散補助剤、及び／または凝集剤を含む重金属修復ブロックまたはペレット。
【請求項１７】
少なくとも１つの重金属によって汚染された射撃場を修復するための方法であって、前記射撃場の排水システムに１つまたは複数の修復剤を導入することを含む方法。
【請求項１８】
少なくとも１つの重金属によって汚染された屋外の射撃場を修復するための方法であって、１つまたは複数の修復剤が前記射撃場と接触することを可能にすることを含む方法。
【請求項１９】
弾薬トラップとの組み合わせで少なくとも１つの重金属修復剤を含む改善した弾薬トラップ。
【請求項２０】
少なくとも１つの弾薬衝撃吸収及び／または偏向手段；使用済みの弾薬、破片、微粒子、及び／または粉塵のための容器；及び、前記容器内の少なくとも１つの修復剤を備える改善した弾薬トラップ。
【請求項２１】
箱及び衝撃吸収材料を備えた銃弾トラップであって、前記箱内に重金属修復剤を含む銃弾トラップ。
【発明の詳細な説明】
【技術分野】
【０００１】
本願は重金属の修復、特に、弾薬トラップ中に、及び射撃場で見つかる重金属弾薬、破片、微粒子、及び粉塵等を修復するための方法に関する。
【背景技術】
【０００２】
鉛−アンチモン合金並びに他の重金属及びそれらの合金は銃弾や散弾等の弾道学的用途で広く使用されている。鉛合金は全世界で２００,０００〜３００,０００トンの範囲で使用されており、その内の約半分は米国で使用されている。米国内には９,６００の射撃場が存在し、弾道金属の約７０％は射撃場で発射されている。
【０００３】
銃弾が射撃場で発射された場合、それらは通常の条件において、鉛−アンチモン合金の溶解及び腐食を介して集中した場所に重大な汚染を生じさせる。図１に示されているように、軟水中の純鉛は数日から数週間の間にｐＨ７.５で０.７５ｍｇ／リットル以上の可溶性鉛の濃度のレベルを生ずる。鉛−アンチモン合金は、合金中に存在する鉛及びアンチモン金属の間で発生する酸化還元反応の結果として、さらに速い比率で溶解し、より高いレベルの可溶性鉛を生ずる（図２）。
【０００４】
射撃場に存在する可能性がある、弾道学的用途で使用される他の重金属はアンチモン、銅、タングステン、錫、ビスマス、銀、ニッケル、及び亜鉛を含む。これらの金属またはそれらの化合物の全ては人間の健康または環境に悪影響をもたらす可能性がある。
【０００５】
重金属の汚染を最小にするために、管理のよい射撃場はターゲット領域の背後に弾薬トラップ（または、「銃弾トラップ」）を備えている。ターゲットを通して発射され、銃弾停止領域または「トラップ」に衝突する銃弾、散弾、及び他の弾丸、並びにそれらの破片は弾薬トラップ（または、「銃弾トラップ」）に留められる。これらのトラップは定期的に修繕されなければならず、また、消費された銃弾の破片はリサイクルのために除去される。
【０００６】
銃弾トラップには多様なデザインが存在する。それらはプレート及びピット、エスカレーター、ベネチアンブラインド、ゴム製ラメラ、粒状ゴム、及び循環水（スネイルトラップ）を含む。一般に、ほとんどの銃弾トラップは２つの種類に分類される。
【０００７】
種類Ａ：例えば、砂、ゴム、ヒドロゲルブロック、ゴム製またはポリウレタン製のカーテン、及び同様な材料等の、弾丸の機械的衝撃を吸収する材料を含む箱型または類似の形状の装置。
【０００８】
種類Ｂ：弾丸を可動式の液体エネルギー消散システムへ向けるための大きな鋼鉄製のプレート。そのようなシステムはトラップ内の擦傷及び衝撃による損傷を最小に抑えるために、通常、流れている水、油、または類似の液体を利用する。
【０００９】
上述の２つの種類を組み合わせたトラップが使用される場合もある。すなわち、トラップは（例えば、衝撃プレート、偏向チャンバー、砂場、可動流体、ゴム片、またはカーテン等の）弾薬衝撃吸収及び／または偏向手段、及び銃弾の破片、微粒子、及び／または粉塵を収集するための容器を含んでもよい。
【発明の開示】
【発明が解決しようとする課題】
【００１０】
これらの従来技術の銃弾トラップは粉塵の発生を最小に抑えるが、周囲の環境にさらされたときに、腐食により、雨水等によって射撃場の付近の排水システムに流れ込む可能性がある可溶性鉛塩を産出する可能性がある微粒子及び他の破片を生じさせる。また、種類Ｂのトラップで使用される液体は循環する潤滑システム内の鉛の粉塵及び微粒子の腐食によって生ずる重金属を含む水を生じさせる可能性がある。したがって、改善した環境的に自己修復する弾薬トラップ、及び既存のトラップを自己修復的にするための方法に対する必要性が存在する。
【課題を解決するための手段】
【００１１】
本発明は使用済みの弾薬、弾薬の破片、微粒子、及び粉塵による汚染を含む、弾薬トラップ及び射撃場の、重金属を基材にした弾薬によってもたらされる問題に対処する。本発明の第１の特徴に従うと、弾薬トラップに少なくとも１つの重金属修復剤を加えることを含む、弾薬トラップの重金属を修復するための方法が提供される。ここで使用される用語「重金属修復剤」（または、単に、「修復剤」）は単体で、または１つまたは複数の付加的な物質との組み合わせで、重金属を非水溶性の形式に変換させることによって、または重金属を実質的に非浸出性にすることによって（すなわち、金属を実質的に非浸出性のマトリクス内に封入することによって）重金属を「固定する」能力を有する物質を意味する。好まれるものとして、修復剤は重金属の水溶性を米国のＵ.Ｔ.Ｓ.制限値等の、法令によって許可されている最大値未満にする能力を有する。鉛を基材にした弾薬の場合、好まれる修復剤は硫化カルシウム、炭酸カルシウム、及び燐酸カルシウム（または、重過燐酸石灰）の化合物である。１つの実施例において、１つまたは複数の修復剤はブロック（または、塊）またはペレット、破片、流動性粉末、スラリー、または他の適当な形式で弾薬トラップに加えられる。水が存在する場合、修復剤は使用済みの弾薬、銃弾の破片、微粒子、及び／または粉塵からの重金属と反応し、トラップ内の重金属を修復（または、レメディエーション）する。
【００１２】
本発明の第２の特徴に従うと、銃弾トラップ及び／または射撃場で使用するための重金属修復ブロック（または、塊）または修復ペレット、及びそれを製造するための方法が提供される。１つの実施例において、修復ブロック（または、塊）または修復ペレットは分散されるか、または水溶性または水分解性のバインダーまたはマトリクス内に包含される少なくとも１つの修復剤を含む。選択的に、ブロックまたはペレットはさらに、析出した不溶性金属化合物の付着を援助するための、１つまたは複数の表面活性剤、分散補助剤、及び／または凝集剤を含む。そのようなブロックは、例えば、少なくとも１つの修復剤及び水溶性または水分解性バインダーの混合物を形成すること；前記混合物を加熱することによって融解物を生成すること；及び、前記融解物からペレットまたはブロックを形成することによって形成することができる。修復ブロックは、ある程度において、Webster及びHurleyによって米国特許No.6,838,504に記載されているIntegrated Fixation Systemsの技術の原理に基づいて形成されてもよい。
【００１３】
本発明の第３の特徴に従うと、射撃場の排水システムに１つまたは複数の修復剤を導入すること、または、特に、野外の射撃場の場合に、１つまたは複数の修復剤が射撃場（すなわち、地面に）接することを可能にすることを含む、少なくとも１つの重金属によって汚染された射撃場を修復（または、レメディエーション）するための方法が提供される。１つまたは複数の修復剤を射撃場のポンプ、池、排水路等に、または単に地面自体に加えることによって、修復剤が使用済みの弾薬、弾薬の破片、微粒子、または粉塵からの重金属と反応することを可能にし、それによって、可溶性の鉛、アンチモン、及び他の重金属が公共の水路等に流れ込むことを防ぐことができる。
【００１４】
本発明の第４の特徴に従うと、弾薬トラップとの組み合わせで少なくとも１つの重金属修復剤を含む、改善した弾薬トラップが提供される。１つの実施例において、改善した弾薬トラップは少なくとも１つの弾薬衝撃吸収及び／または偏向手段；使用済みの弾薬、弾薬の破片、微粒子、または粉塵のための容器；及び、前記容器内の少なくとも１つの修復剤を備える。
【００１５】
本発明の長所及び多様な特徴は図面とともに以下の詳細な説明を参照することにより、より明らかになるだろう。
【発明を実施するための最良の形態】
【００１６】
本発明の１つの特徴に従うと、弾薬トラップ中の１つまたは複数の重金属を修復するための方法が提供される。１つの実施例において、本発明の方法は弾薬トラップに少なくとも１つの修復剤を加えることを含む。（制限ではないが）修復剤例は硫化カルシウム、燐酸カルシウム、水酸化カルシウム、酸化カルシウム、炭酸カルシウム、硫化マグネシウム、燐酸マグネシウム、水酸化マグネシウム、酸化マグネシウム、炭酸マグネシウム、燐灰石、燐酸水素二カルシウム、燐酸二水素カルシウム、重過燐酸石灰、苦灰石、燐酸、及び／またはこれらの化合物の混合カルシウム付加生成物を含む。修復剤の他の例は：鉛の低減に対して使用することができる燐酸及びそれの塩；機能的であるが、緩慢である鉱物燐灰石（Ｃａ5（ＰＯ4）3（Ｆ,Ｃｌ,ＯＨ））；吸着を介して、それらの高いアルカリ性の結果として作用する（従って、それらの効果が恒久的でないであろう）アルカリ土類珪酸塩（例えば、珪酸カルシウム）；珪酸及びアルミナ水和物：及び、ベントナイト及びフラースアース等の金属吸収性粘土を含む。これらが使用される場合、燐酸塩は鉛の修復に対して適していると考えられるが、それらは他の金属を修復しないだろう。
【００１７】
環境的修復剤はMolecular Bonding System（登録商標）またはＭＢＳ（登録商標）としてSolucorp Industriesから、及びEcobond（登録商標）としてMetals Treatment Technologiesから入手可能である。好まれる修復剤はSolucorp Industriesから入手可能な技術等級の硫化カルシウム、燐酸カルシウムまたは重過燐酸石灰、及び炭酸カルシウムの混合物を含む。「重過燐酸石灰」（または、ＴＳＰ）はＣａ（Ｈ2ＰＯ4）2−Ｈ2Ｏ（ＣＡＳ No.65996-95-4）である。鉛及び鉛−アンチモン合金のための特に好まれる修復剤はＭＢＳ（登録商標）２．１（炭酸カルシウム、硫化カルシウム、及び重過燐酸石灰の３：２：１（ｗｔ／ｗｔ）の混合物である。ＭＢＳ（登録商標）２．１はｐＨ依存性ではなく、ｐＨ１〜ｐＨ１３の範囲の条件下で鉛を修復（または、レメディエーション）することができる。これに対し、燐酸塩及び珪酸はｐＨ依存性であり、燐酸塩は概略中性（ｐＨ６〜８）の下で機能的であり、珪酸塩は強アルカリ性（＞ｐＨ１０）で機能的である。また、ＭＢＳ（登録商標）修復剤は可溶性鉛塩を経口投与したときに非毒性の硫化鉛に変換する。
【００１８】
修復剤はブロック（または、塊）またはペレット、破片、流動性粉末、スラリー（例えば、１つまたは複数の修復剤の水性のスラリー）、または他の適当な形式で弾薬トラップに加えられる。修復ブロックは特に好まれるものとして、その中に含まれる修復剤がシステムの最小のアルカリ性の増加とともに、持続放出的な様式で放出されることを可能にする。修復剤を速すぎる比率で適用した場合、それは修復剤が無駄になるだけではなく、トラップのスラッジ（または、沈殿物）内の微粒な鉛金属破片の溶解の一時的な増大を生じ、試薬が完全に有効になるまでに長い時間を必要とする。
【００１９】
トラップに加えられる修復剤の量はトラップの種類、重金属の汚染の種類及び量、使用される修復剤の種類、及び当業者にとって明白な他の要因に依存する。任意の期間中に大幅に使用される弾薬トラップは通常、使用量の少ないトラップよりも多い量の修復剤を必要とするだろう。
【００２０】
ブロック、ペレット、破片、粉末、スラリー、または他の形式で使用されたかにかかわらず、修復剤は弾薬トラップの使用済みの弾薬、弾薬の破片、微粒子、または粉塵に最もさらされる可能性が高い領域に加えられる。そのような領域は、例えば、プレート及びピットのピット部；循環流体トラップの排水だめ、水路、または液体タンク；減速チャンバーまたは衝撃吸収プレートの付近の容器；または、重金属にさらされる可能性が高いトラップの他の部分である。
【００２１】
例えば、１つの実施例において、１つまたは複数の試薬ブロックは破片が発生する可能性が高い（上述の）種類Ａの弾薬トラップに配置されてもよい。トラップによって収集された鉛破片の腐食の開始を生じさせる水分との接触により、ブロックは活性化され、それらの修復剤を解放し、それの有効な使用中にトラップ内に使用済みの鉛破片の連続的な修復を生じさせる。ブロックはトラップの定期的な補修時に取り替えられてもよい。付加的に、修復ブロックは、銃弾トラップエネルギー吸収材料を構成しているゴム状のヒドロゲルまたは他の材料内に組み込まれてもよい。
【００２２】
もう１つの実施例において、１つまたは複数の修復ブロックは（上述の）種類Ｂトラップに直接的に適用されてもよい。適用された修復ブロックは鉛の破片及び腐食産物を修復するために液体システム内に分散するだろう。リサイクルのために除去された使用済み鉛は不動態化した腐食産物とともに黒っぽい色を有し、さらなる酸化及び腐食に対して安定化されているが、それらはそのような処理がなされていない鉛と同様な様式でリサイクル可能である。修復ブロックの液体潤滑油への追加は潤滑油から可溶性鉛を排除し、液体廃物の危険性を減少させ、結果的に廃物の処理のコストを減少させる。
【００２３】
本発明の第２の特徴において、重金属修復ブロックまたはペレット、及びそのようなブロックまたはペレットの製造方法が提供される。１つの実施例において、重金属修復ブロックまたはペレットは分散されるか、または水溶性または水分解性のバインダーまたはマトリクス内に包含される少なくとも１つの修復剤を含む。この組成物はトラップの１つまたは複数の領域内で機能するために適当な寸法及び形状（小型または中型ブロック、ペレット等）にされる。水との接触で、バインダーは特定の時間にわたって溶解または分解し、トラップ内の鉛、アンチモン、及び他の重金属と反応し、それらを固定（または、不活性化）する。
【００２４】
（制限ではないが）バインダーの例は水和化及び／または分解可能なポリエチレングリコール及びエチレングリコールの共重合体；ポリアクリラート及び／または水和化可能なセルロース化合物、及び／またはそれらのメチル、エチル、プロピル、及び／またはブチルエーテル等の、水溶性及び／または水分解性のワックスを含む。また、これらのバインダーの混合物が使用されてもよい。
【００２５】
選択的に、修復ブロックまたはペレットはさらに、１つまたは複数の表面活性剤、分散補助剤、及び／または凝集剤を含んでもよい。（制限ではないが）使用可能な表面活性剤及び分散剤の例は脂肪酸のポリエトキシエチレンエーテル、脂肪酸のポリエトキシエチレンエステル、及びアルコールのポリエトキシエーテル（例えば、化学式ＣＨ3（ＣＨ2）x-Ｏ-（ＣＨ2ＣＨ2）y-ＯＨ（ここで、ｘ＞＝５かつｙ＞１）のポリエーテルアルコール）を含む。修復ブロック内の典型的な表面活性剤の濃度は全ブロックの重量比で０.１〜１％である。（制限ではないが）凝集剤の例はCytec Industries B.V.から入手可能な Ａ１２０、Ａ１３０、及びＡ１５０である。
【００２６】
重金属修復ブロックまたはペレットは直接的な様式で形成することができる。１つの実施例において、本発明の方法は少なくとも１つの修復剤及び水溶性または水分解性のバインダー（及び、選択的に、１つまたは複数の表面活性剤、分散補助剤、及び／または凝集剤）の混合物を形成すること；前記混合物を加熱することによって融解物を生成すること；及び、前記融解物からペレットまたはブロックを形成することによって形成することができる。例えば、ブロックまたはペレットは結う怪物を鋳型に注ぎ、それを硬化させることによって「鋳造」されてもよい。このようにして形成されたペレットまたはブロックは重金属弾薬の破片、微粒子、または粉塵を修復するために弾薬トラップに加えることができる。
【００２７】
製造処理の速度を向上させるために、修復ブロック及びペレットは、例えば、ブロックまたはタブレットへのプリル処理または圧縮；フレーキング等の、多様な大量生産処理によって形成されてもよい。しかしながら、本発明は本願で説明されているブロックの製造の物理的な方法によって限定されない。
【００２８】
本発明のもう１つの特徴において、射撃場の使用済みの弾薬、弾薬の破片、微粒子、または粉塵からの重金属は１つまたは複数の修復剤を屋内または屋外の射撃場の（排水だめ、水路、池、及び／または水路等の）排水システム内に、または単に、屋外の射撃場の地面自体に導入することによって修復される。修復剤は使用済みの弾薬、弾薬の破片、微粒子、または粉塵からの重金属と反応し、それによって、可溶性鉛、アンチモン、及び他の重金属が公共の水路等に流れ込むことを防ぐ。
【００２９】
本発明の第４の特徴に従うと、弾薬トラップとの組み合わせで少なくとも１つの重金属修復剤を含む、改善した弾薬トラップが提供される。弾薬トラップはトラップに入り込んだ弾薬から鉛及び他の重金属を修復するので、それは実質的に「環境的に自己修復」である。１つの実施例において、改善したトラップは少なくとも１つの弾薬衝撃吸収及び／または偏向手段；使用済みの弾薬、弾薬の破片、微粒子、または粉塵のための容器；及び、前記容器内の少なくとも１つの修復剤を備える。代替的な実施例において、弾薬トラップは代替的な構成を有し、及び／または修復剤はトラップ内の他の場所に配置されてもよい。
【００３０】
図３を参照すると、本発明の１つの実施例に従った改善した弾薬トラップが図示されている。トラップ１０は（「スネイルトラップ」とも呼ばれる）循環水タイプのものであり、それを通して水が循環するように構成されている偏向チャンバー１２を含む。銃弾または銃弾破片１４はトラップに入り込み、偏向チャンバー及び循環水の流れと接触するまで経路１４ａに沿って進む。銃弾はさらに、それの運動エネルギーを失い、チャンバーの隙間１６を通って落下するまでチャンバーに沿って進み、隙間から落下した後、スクリーンまたはグリル１８によって捕獲される。小さめの銃弾破片、微粒子、及び粉塵は水とともにスクリーン１８を通過し、容器２０に収容される。この容器はまた、システムで使用される水のための貯水容器として利用される。時間がたつにつれ、貯水容器の底部にはスラッジ（または、沈殿物）が堆積する。容器からの水は戻り管２４を通ってポンプで汲み上げられ、偏向チャンバー１２に戻される。
【００３１】
本発明に従うと、１つまたは複数の修復剤３０は、それらをブロック、ペレット、粉末、スラリー、または他の形式で貯水容器／容器２０、入力管（図示せず）、または他の適当な場所に加えることによってトラップ内に導入される。上述の種類のブロックまたはペレットが使用される場合、それらは修復剤を測定された比率で、すなわち、持続放出的な様式でシステム内に放出できるという長所を有する。
【００３２】
（制限ではないが）以下に本発明の実施例を記載する。
実施例１
技術的等級のカルシウム硫化物、燐酸カルシウム、炭酸カルシウム、ポリエチレングリコールワックス（分子量約１,５００）（２：１：３：２の重量比）を混合し、その混合物を１００度まで加熱し、さらにその融解物を５〜１００グラムのブロックに鋳造することによってそれらの成分から成る重金属修復ブロックが製造された。約１.３ｃｍ角の試薬ブロックは２４〜４８時間、水中で分散された。
【００３３】
実施例２
技術的等級のカルシウム硫化物、燐酸カルシウム、炭酸カルシウム、水酸化カルシウム、ポリエチレングリコールワックス（分子量約１,５００）（２：１：１：２：２の重量比）を混合し、その混合物を１００度まで加熱し、さらにその融解物を５〜１００グラムのブロックに鋳造することによってそれらの成分から成る重金属修復ブロックが製造された。約１.３ｃｍ角の試薬ブロックは７〜１４日間、水中で分散された。
【００３４】
上述の実施例で製造された５ｇのブロックは水中に浸されたとき、１.８グラム強の可溶性鉛を吸収するだろう。（存在する可溶性鉛の量に対して）余分の試薬が使用された場合、浸出液のレベルは米国ＴＣＬＰ試験処理によるＵＴＳ制限値未満に減少される。
【００３５】
実施例２に従って製造された５ｇのブロックの水中への２１日間の浸漬は認識可能な化学的効力の減少を生じなかった。同じ寸法のブロックの流れのある淡水への２１日間の浸漬は、可溶性鉛への露出を生じ、１０％だけ効力が低下した。処理ブロックの溶解及び効力の長さはブロックの寸法及び形状によって制御されてもよい。
【００３６】
実施例３
屋内の射撃場における、Savage Range Systemsによって供給されている、４つの（「スネイルトラップ」とも呼ばれる）循環水銃弾トラップに対する重金属修復試験を実施した。射撃場には年間、数千の弾丸が発射される。９.１メートル幅のターゲット領域の直ぐ後に４つの２.４メートル幅のトラップを一列に配置した。トラップの排水だめは４つのトラップの減速チャンバーの下に１つの結合した排水だめを形成するために相互に接続した。ターゲットを通過した銃弾はトラップ内に貫通し、それらが弾道的エネルギーを失うまで、トラップの循環水システム内で運ばれ、そして、各トラップの下の銃弾捕獲スクリーン上に堆積する。鉛−アンチモン合金及び他の砕けやすい銃弾の構造により、使用済みスラグ（または、小塊）の各々の一部は循環水システムによって運ばれ、その後にトラップの直ぐ下に配置された排水だめまたは貯水容器に（この実施例の場合、約２.０ｍ3に等しい）スラッジ（または、沈殿物）として堆積する。４つのトラップは結合されたときに、１％の典型的なアルコールグリコールベースの不凍液を含む、約１０６２リットルの水を収容する。処理の前に、（スラッジ及び水の合成物である）トラップ内を循環する水は１７３ｍｇ／リットルの可溶性鉛を示していた。スラッジは（ＴＣＬＰ ＳＷ８４６処理によって）１,３４０ｍｇ／リットルの可溶性鉛を示していた。
【００３７】
４つのトラップの各々に、３.４４％の処理適用量に等しい、９.１ｋｇの修復剤（Solucorp Industriesから入手されたＭＢＳ２.１）を加え、トラップをさらに６週間、有効な射撃場の使用状態で維持した。処理及び修復後、トラップ内を循環する水の可溶性鉛は７.６８ｍｇ／リットルに低下し、スラッジは（ＴＣＬＰ ＳＷ８４６処理によって）２.８７ｍｇ／リットルの可溶性鉛を示した。
【００３８】
ここまで本発明が多様な実施例及び図面とともに説明されてきたが本発明はこれらの実施例には限定されない。付随する請求の範囲によって規定される本発明に対し、それの意図から外れずに多様な変更を加えることができることは当業者にとって明白であるだろう。
【図面の簡単な説明】
【００３９】
【図１】水に１００日間浸された、９９.９９９％鉛の２ｍｍ散弾の腐食を示しているグラフである。
【図２】（通常、２％のアンチモンを含有しているとして販売されているが、実際の分析においては１.２５％のアンチモン（Ｗ／Ｗ）を含むことが示されている）米国のＮｏ.８鉛−アンチモン散弾の腐食を示しているグラフである。
【図３】本発明に従った自己修復弾薬トラップの１つの実施例の概略図である。
【符号の説明】
【００４０】
１０    銃弾トラップ
１２    偏向チャンバー
１４    銃弾
１４ａ  銃弾の経路
１６    チャンバーの隙間
１８    銃弾捕獲スクリーン
２０    貯水容器／容器
２４    水の戻り管
３０    重金属修復剤
【図１】
2007519888.tif 000003
【図２】
2007519888.tif 000004
【図３】
2007519888.tif 000005
【国際調査報告】
2007519888.tif 000006